(57)【要約】【課題】着座者への圧迫を回避しながら、凹部近傍に応力集中が生じても極端な部分変形や全体形状の変形を伴わず、凹部周辺の着座時の体圧分散性及び着座者の姿勢保持性を良好なものとして着座疲労を感じさせにくく、繰り返し使用によるクッション構造材自体のヘタリを抑える。【解決手段】所定の第一厚さＤ１の第一発泡体１００と、第一厚さＤ１より大きな第二厚さＤ２の第二発泡体２００と、第一厚さＤ１より大きな且つ第二厚さＤ２より小さな第三厚さＤ３の第三発泡体３００とを下層から順に具備し、第一発泡体１００の下面には、第一孔面積からなる第一窪み穴１０２が平面形状内に規則的に複数配設されてなり、第三発泡体３００の上面には、第一孔面積よりも小さい第三穴面積からなる第三窪み穴３０２が平面形状内に規則的に複数配設されてなり、さらに第二発泡体２００が第一発泡体１００及び第三発泡体３００よりも大きな硬度を有する。【選択図】図１
2018000625.tif 000002
【特許請求の範囲】
【請求項１】
後部辺の中央寄りに凹部を設けた所定の平面座形状に成形された天然ゴム発泡材からなる発泡体を３層以上積層し、隣接する発泡体同士を互いに接着してなるシートクッション構造体であって、
前記発泡体として、少なくとも所定の第一厚さの第一発泡体と、前記第一厚さより大きな第二厚さの第二発泡体と、前記第一厚さより大きな且つ第二厚さより小さな第三厚さの第三発泡体と、を下層から順に具備し、
前記第一発泡体の下面には、所定の第一穴面積以上の穴形状からなる第一窪み穴が、前記第一発泡体の平面形状内に規則的に複数配設されてなり、
前記第三発泡体の上面には、前記第一孔面積よりも小さい第三穴面積からなる第三窪み穴が、前記第三発泡体の平面形状内に規則的に複数配設されてなり、
さらに前記第二発泡体が前記第一発泡体及び前記第三発泡体よりも大きな硬度を有してなることで、
前記凹部付近に集中荷重をかけた際に、前記第一発泡体が所定の第一変形厚さ及び第一変形面積で弾性変形し、前記第三発泡体が前記一変形厚さ及び第一変形面積のそれぞれよりも大きい第三変形厚さ及び第三変形面積で弾性変形すると共に、前記第二発泡体が、前記第一変形厚さ及び第三変形厚さのいずれよりも小さい第二変形厚さ、並びに、前記第一変形面積よりも大きく且つ第三変形面積よりも小さい第二変形面積で弾性変形することを特徴とするシートクッション構造体。
【請求項２】
前記発泡体の後部辺の左右部分同士を繋ぎ、凹部空間を左右に亘って固定された非伸縮性の連結体をさらに具備することを特徴とする請求項１記載のシートクッション構造体。
【請求項３】
前記第二発泡体の凹部よりも前方の幅方向中央に、幅方向に長い平面視横長形状の貫通孔が形成されることを特徴とする請求項１又は２記載のシートクッション構造体。
【請求項４】
前記第二発泡体の凹部左右にそれぞれ形成された後部突出体は、前記第二発泡体の他の箇所よりも大きい積層厚さで形成されると共に、その一部が下方に突出した接地面部を有し、
前記第一発泡体が、前記第二発泡体の接地面部に対応する切欠き部を有して前記第二発泡体と積層接着してなることで、接地面部が設置し得ることを特徴とする請求項１乃至請求項３のいずれか記載のシートクッション構造体。
【請求項５】
前記後部突出体は、前記第二発泡体のうち最も高い表面頂部を有すると共に、前記表面頂部を含む側面の一部を窪ませた側凹部を有することを特徴とする請求項４記載のシートクッション構造体。
【発明の詳細な説明】
【技術分野】
【０００１】
本発明は、既存の椅子や車いすの座の上に重ねて配置したり、座布団のように床に載置したりして使用するシートクッションの構造体（表面カバーを除くもの）に関し、特に、後部辺の中央寄りに凹部を設けた所定の平面座形状に成形された天然ゴム発泡材を積層し、隣接する発泡体同士を互いに接着してなるシートクッション構造体に関する。
【背景技術】
【０００２】
椅子に長時間座っていると、臀部の坐骨部分に体圧が加わるため、臀部が痛くなる。このため、着座中は、無意識のうちに、ときどき着座位置を変えたり、腰を浮かせたりして、座骨から臀部への圧迫を緩和し、痛みを和らげている。ところが、下半身が不自由な人の場合、車椅子などに長時間座っている機会が多いうえ、自由に着座位置を変えたり腰を浮かせたりすることができないので、座骨部分が長時間に亘って強く押圧され、うっ血により床ずれを起こすおそれがある。
【０００３】
そこで、シート面から受ける圧迫を軽減するために、ウレタン等の弾性材料によって形成されたシートクッションを使用することが従来から行われている。しかし、シートクッションを使用しても、やはり臀部の坐骨Ａの部分に体圧が加わるので、臀部が痛くなる。また、臀部の坐骨の部分に体圧が加わると、坐骨を中心にしてローリングするため体が疲れ易い。
【０００４】
そこで、坐骨への体圧の集中を軽減させ、体圧を平坦な臀部や大腿部に分散させるために、従来のシートクッション構造体には、弾力材料によって形成されたシート板の後縁部に、着座状態において坐骨が収容される凹所を設けたものが開示されている（特許文献１参照）。
る。
【先行技術文献】
【特許文献】
【０００５】
【特許文献１】特開２００３−０００３９４号公報
【発明の開示】
【発明が解決しようとする課題】
【０００６】
しかしながら、特許文献１に開示されるような従来のシートクッション構造体は、着座者の仙骨への圧迫を回避できる一方、シートクッションの凹部近傍に応力集中が生じる構造となっていることで、当該応力集中によって中央寄りの表面部が座屈を伴って極端に部分変形し、また、この極端な部分変形に伴って全体形状が変形する恐れがあった。このような極端な部分変形や全体形状の変形が生じると、凹部周辺の着座時の体圧分散性や着座者の姿勢保持性に欠け着座疲労を感じさせることとなってしまう。また着座の度に一部分に応力が集中し平面形状の変形を伴うため、繰り返し使用によりクッション構造材自体がヘタリ易く耐久性に欠けるものとなってしまう。
【０００７】
本発明は、かかる事情に鑑みてなされたものであり、着座者の仙骨への圧迫を回避するものでありながら、凹部近傍に応力集中が生じても極端な部分変形や全体形状の変形を伴わず、また、凹部周辺の着座時の体圧分散性及び着座者の姿勢保持性を良好なものとして着座疲労を感じさせにくく、また、繰り返し使用によるクッション構造材自体のヘタリを抑え、耐久性を有するものを提供する。
【課題を解決するための手段】
【０００８】
本発明に係るシートクッション構造体は、後部辺の中央寄りに凹部を設けた所定の平面座形状に成形された天然ゴム発泡材を主材とする発泡体を３層以上積層し、隣接する発泡体同士を互いに接着してなるシートクッション構造体である。なお、「天然ゴム発泡材を主材とする」とは、天然ゴム発泡材を構成材の主要な材料とし、少なくとも発泡前状態で８０重量％以上含有する発泡体を含むことを意味する。前記発泡体として、少なくとも所定の第一厚さの第一発泡体と、前記第一厚さより大きな第二厚さの第二発泡体と、前記第一厚さより大きな且つ第二厚さより小さな第三厚さの第三発泡体と、を下層から順に具備し、前記第一発泡体の下面には、所定の第一穴面積以上の穴形状からなる第一窪み穴が、前記第一発泡体の平面形状内に規則的に複数配設されてなり、前記第三発泡体の上面には、前記第一孔面積よりも小さい第三穴面積からなる第三窪み穴が、前記第三発泡体の平面形状内に規則的に複数配設されてなり、さらに前記第二発泡体が前記第一発泡体及び前記第三発泡体よりも大きな硬度を有してなることで、前記凹部付近に集中荷重をかけた際に、前記第一発泡体が所定の第一変形厚さ及び第一変形面積で弾性変形し、前記第三発泡体が前記一変形厚さ及び第一変形面積のそれぞれよりも大きい第三変形厚さ及び第三変形面積で弾性変形すると共に、前記第二発泡体が、前記第一変形厚さ及び第三変形厚さのいずれよりも小さい第二変形厚さ、並びに、前記第一変形面積よりも大きく且つ第三変形面積よりも小さい第二変形面積で弾性変形することを特徴とする。
【０００９】
上記の構成によれば、各発泡体間で密度、硬さ、断面形状の全てを異ならしめ、第二発泡体の変形量が最小となり第一発泡体の変形量が最大となるようにしている。つまり最も厚い第二発泡体が第三発泡体への荷重及び変形を受け止めて下方へ伝達させ、最下層に層定着された第一発泡体が最大の変形厚かつ最大の変形領域で大きく弾性変形することで、上層側（第三発泡体）から下層側（第一発泡体）に行くほど変形領域が大きくなるようにしている。これにより、体圧分散性や長時間の着座による着座者の姿勢保持性に優れ、着座疲労を感じにくいものとなる。また、厚さ、密度の異なる天然ゴム発泡材主材の発泡体を一体層定着したものからなるため、繰り返し使用によっても構造材自体のヘタリが生じにくいものとなっている。
【００１０】
また、本発明に係るシートクッション構造体は、前記発泡体の後部辺の左右部分同士を繋ぎ、凹部空間を左右に亘って固定された非伸縮性の連結体をさらに具備することを特徴とする。
【００１１】
上記の構成によれば、非伸縮性の連結体（連結バンド）を発泡体の後部辺の左右部分同士の間に亘らせて繋ぐことで、左右部分同士の離間変形を防ぐことができる。
【００１２】
また、本発明に係るシートクッション構造体は、前記第二発泡体の凹部よりも前方の幅方向中央に、幅方向に長い平面視横長形状の貫通孔が形成されることを特徴とする。
【００１３】
上記の構成によれば、第二窪みによって着座位置が中央位置へ誘導され、姿勢保持性に優れるものとなると共に、弾性変形の位置を中央にコントロールすることで体圧分散性を確保することができる。
【００１４】
また、本発明に係るシートクッション構造体の前記第二発泡体の凹部左右にそれぞれ形成された後部突出体は、前記第二発泡体の他の箇所よりも大きい積層厚さで形成されると共に、その一部が下方に突出した接地面部を有し、前記第一発泡体が、前記第二発泡体の接地面部に対応する切欠き部を有して前記第二発泡体と積層接着してなることで、接地面部が設置し得ることを特徴とする。
【００１５】
上記の構成によれば、もっとも硬い第二発泡体が後部片の一部として接地することで後部片の形状の保持性に優れ、長時間着座時の着座者の姿勢保持性に優れると共に、繰り返し使用によるヘタリを抑えるものとなる。
【００１６】
また、本発明に係るシートクッション構造体の前記後部突出体は、前記第二発泡体のうち最も高い表面頂部を有すると共に、前記表面頂部を含む側面の一部を窪ませた側凹部を有することを特徴とする。
【００１７】
上記の構成によれば、硬度の高い後部片の圧迫による着座疲労を抑制することができる。
【発明の効果】
【００１８】
本発明によれば、着座者の仙骨への圧迫を回避するものでありながら、凹部近傍に応力集中が生じても極端な部分変形や全体形状の変形を伴わず、また、凹部周辺の着座時の体圧分散性及び着座者の姿勢保持性を良好なものとして着座疲労を感じさせにくく、また、繰り返し使用によるクッション構造材自体のヘタリを抑え、耐久性を有するものを提供できる。
【図面の簡単な説明】
【００１９】
【図１】第１の実施形態に係るシートクッション構造体の上面斜視図である。
【図２】第１の実施形態に係るシートクッション構造体の底面斜視図である。
【図３】第１の実施形態に係るシートクッション構造体の平面視分解図である。
【図４】第１の実施形態に係るシートクッション構造体の底面視分解図である。
【図５】第１の実施形態に係るシートクッション構造体の図１の線分Ｙ−Ｙにおける断面図である。
【図６】第１の実施形態に係るシートクッション構造体の着座時における図１の線分Ｙ−Ｙにおける断面図である。
【図７】第２の実施形態に係るシートクッション構造体の上面斜視図である。
【図８】第２の実施形態に係るシートクッション構造体の底面斜視図である。
【図９】第２の実施形態に係るシートクッション構造体の分解図である。
【図１０】第２の実施形態に係るシートクッション構造体の第二発泡体の構成図である。
【図１１】第２の実施形態に係るシートクッション構造体の断面図である。
【図１２】第２の実施形態に係るシートクッション構造体の着座時における断面図である。
【図１３】第２の実施形態に係るシートクッション構造体の側面図である。
【図１４】第３の実施形態に係るシートクッション構造体の上面斜視図である。
【図１５】第３の実施形態に係るシートクッション構造体の分解図である。
【図１６】第３の実施形態に係るシートクッション構造体の第二発泡体の構成図である。
【図１７】第４の実施形態に係るシートクッション構造体の第二発泡体の構成図である。
【図１８】シートクッション構造体の弾力特性の確認試験箇所を示す平面説明図である。
【図１９】剛球沈下法による弾力特性の確認試験の測定状態例である。
【図２０】剛球沈下法による沈下量と接触面積（平面接触面積及び球冠接触面積）と平均負荷圧力の関係を示す一覧である。
【発明を実施するための形態】
【００２０】
以下、本発明のシートクッション構造体の実施形態について説明する。
【００２１】
（第１の実施形態）
図１は、第１の実施形態に係るシートクッション構造体の上面斜視図である。図２は、第１の実施形態に係るシートクッション構造体の底面斜視図である。図３及び図４は、第１の実施形態に係るシートクッション構造体の平面視分解図及び底面視分解図である。図５は、第１の実施形態に係るシートクッション構造体の図１の線分Ｙ−Ｙにおける断面図である。図６は、第１の実施形態に係るシートクッション構造体の着座時における図１の線分Ｙ−Ｙにおける断面図である。
【００２２】
以下、図１〜図６を参照して第１の実施形態に係るシートクッション構造体１０の構造について説明する。シートクッション構造体１０は、２〜５０倍の間の所定の発泡倍率に設定されると共に所定の平面座形状に成形された、天然ゴム発泡材を主剤とする発泡体１００〜３００を下層から順に積層し、隣接する各層の発泡体１００〜３００同士が互いに接着された積層体構造となっている。
各層の発泡体を、積層接着される下層から順に、最下層の第一発泡体１００、中間層の第二発泡体２００、最上層の第三発泡体３００とする。各発泡体を構成する天然ゴム発泡材の発泡倍率は、第一発泡体１００が５〜９倍（さらに好ましくは６〜８倍）の間に設定され、第二発泡体２００が２〜５倍（さらに好ましくは４〜４．５倍）の間に設定され、第三発泡体３００が６〜１０倍（さらに好ましくは８〜９倍）の間に設定される。これにより、各発泡体の構成材である天然ゴム発泡材自体の嵩密度は、第一発泡体１００が１２０〜３５０ｋｇ／ｍ３の間の中嵩密度、第二発泡体２００が３５０〜６００ｋｇ／ｍ３の間の高嵩密度、第三発泡体３００が１００〜１５０ｋｇ／ｍ３の間の低嵩密度に設定される。
また、各層の発泡体のうち第一発泡体１００及び第三発泡体３００は、積層接着前の発泡体上面又は下面全体に、一定の大きさの窪み穴（有底穴）又は窪み孔（貫通孔）として、第一窪み穴１０２（１０２Ａ，１０２Ｂ）ないし第三窪み孔３０２が複数個ずつ、規則的な離間距離をおいて規則的に平面配列形成される。窪み穴／孔の穴／孔縁形状は、多角形（方形又は六〜八角形）又は円形（真円又は楕円）又はこれらの扁変形形状からなる。
形状中心を通る穴／孔縁形状の代表径は、第一発泡体１００が１５ｍｍ〜４０ｍｍの間、第三発泡体３００がこれよりも小さい５ｍｍ〜２０ｍｍの間となるように設定される。隣接する窪み孔同士の離間距離（穴縁間の距離）は、第一発泡体１００が前記代表径の１．５倍〜３．０倍（２２．５〜１２０ｍｍ）の間、第三発泡体３００がこれよりも小さい１．１倍〜２．５倍（５．５〜５０）ｍｍの間に設定される。離間ピッチ（穴中心間の距離）に換言すると、第一発泡体１００が前記代表径の２．５倍〜４．０倍（３７．５〜１６０ｍｍ）の間、第三発泡体３００がこれよりも小さい２．１倍〜３．５倍（１０．０〜７０．０）ｍｍの間に設定されることとなる。また、窪み穴（有底穴）の穴の深さは、各発泡体の厚さの５０％〜９９％に設定される。これらにより、窪み穴（有底穴）の穴容積／窪み孔（貫通孔）の穴容積比率は、窪み穴（有底穴）又は窪み孔（貫通孔）形成前の各発泡体の外形容積（窪み穴／孔のない中実体で構成したときの仮想外形容積）に対して、第一発泡体１００が２０〜５０％、第三発泡体３００がこれよりも小さい１０〜４０％となるように設定されることとなる。
前記各発泡体は、所定の発泡倍率によって発泡体自体の硬度が規定されると共に、上面又は下面に規則的に形成した所定の穴容積比率の窪み穴／孔によって外形容積に対する実質的な残りの構成材容積が所定の弾性変形量の弾性材として規定される。これにより、被荷重に対する各層全体としてのみかけの弾性硬度が規定される。みかけの弾性硬度は、例えば図１８、図１９に示す剛球沈下法による沈下量によって相対比較される。本発明の積層体において、第三発泡体３００が最も低硬度（沈下量が最大値）となり、第二発泡体２００が最も高硬度（沈下量が最小値）となり、第一発泡体１００がこれらの中間の硬度（沈下量が第一発泡体と第三発泡体の間の値）となるように設定される。なお、図１８、図１９に示す剛球沈下法は、球径３．８０ｃｍかつ重量２２５ｇｆの小剛球、球径６．３８ｃｍかつ重量１０４４ｇｆの大剛球をシートクッション構造体の各箇所（図１８）の上面に載置して、剛球の荷重による沈み込み（図１９）状態とし、当該沈み込み量を計測したものである。各剛球の沈下量に応じた平均負荷圧力は、図２０に示される。図２０において、平均負荷圧力は、剛球沈下分の容積を円板の平面投影面積で除した「平面負荷圧力」、及び、剛球沈下分の容積を球冠面積で除した「球冠負荷圧力」の２種類の値として示している。なお、医学的見地によれば、水銀圧３２ｍｍＨｇ（水柱４３５ｍｍ、４３ｇ／ｃｍ２）を超える負荷圧力が人体にかかると、皮下毛細血管の血流圧迫が起こり得るといわれている。
【００２３】
また、シートクッション構造体１０は、後部辺１１Ａの中央寄りにコの字状の切欠きからなる凹部１２が設けられており、該凹部１２に着座状態において着座者の坐骨が収容され、坐骨への体圧の集中を軽減させ、体圧を平坦な臀部や大腿部に分散することができるように構成されている。
【００２４】
第一発泡体１００は、積層された状態における、第一窪み穴１０２を除く第一発泡体１００の成形体の平均層厚さとして、所定の第一厚さＤ１を有している。また、第二発泡体２００は、積層された状態における、貫通孔２０１及び側凹部２０６を除く第二発泡体２００の成形体の平均層厚さとして、第一厚さＤ１より大きな（厚い）第二厚さＤ２を有している。さらに、第三発泡体３００は、第三窪み穴３０２を除く第三発泡体３００の成形体の平均層厚さとして、第一厚さＤ１より大きな（厚く）且つ第二厚さＤ２より小さな（薄い）第三厚さＤ３を有している。
【００２５】
第一発泡体１００の下面１０１には、第一窪み穴１０２として、所定の第一穴面積の穴形状からなる下部の第一窪み穴１０２Ｄが、第一発泡体１００の平面形状内に規則的に複数配設され、第一発泡体１００の上面には、所定の第一穴面積の穴形状からなる上部の第一窪み穴１０２Ｃが、第一発泡体１００の平面形状内かつ下部の第一窪み穴１０２Ｄと重ならない位置に規則的に複数配設されている。ここで、上部の第一窪み穴１０２Ｃ及び下部の第一窪み穴１０２Ｄは、共に第一穴面積の円柱穴からなり、第一窪み穴１０２Ｃ及び下部の第一窪み穴１０２Ｄが互いに重ならない平面位置に等間隔にレイアウトされる。穴深さは第一発泡体の第一厚さＤ１の９０％以上であり、荷重負荷状態においては図６の下部の第一窪み穴１０２Ｄ´として示すように、上部及び下部の第一窪み穴１０２Ｃ´、１０２Ｄ´が共に斜め方向に扁平圧縮変形した状態となる。
【００２６】
第二発泡体２００は、後部中央に凹部１２を有した平面視略コ字状に成型され、後部左右、すなわち凹部１２の左右両側縁に、それぞれ後部突出体２０３が後方突出してなる。第二発泡体２００の平面視中央位置であって凹部１２近傍の前方の幅方向中央に、幅方向に長い平面視横長矩形形状の貫通孔２０１が形成されている。本実施形態の貫通孔２０１は平面視にて左右それぞれの前方角部のみが隅丸形状に成型された横長矩形形状からなる。この貫通孔２０１により、着座者の着座位置がシートクッション構造体１０中央位置へ誘導されるため、着座者の着座位置を中央に規制させることで姿勢保持性に優れるものとなる。また、着座による弾性変形の位置をシートクッション構造体１０の中央にコントロールすることで体圧分散性を確保することができる。また、凹部１２と貫通孔２０１の間の横桟２０８は、後部へ行くにつれて薄くなるように上面が曲面成形され、側断面視にて四半円の扇形状に成型される（図５）。さらに、第二発泡体の上面であって平面視左右前方には、着座者の大腿部の位置に対応して左右一対の湾曲窪み２０７が形成される（図３、図５）。
【００２７】
また、第三発泡体３００は、平面視Ｔ字状に成型された前部第三発泡体３００と、その左右後部にそれぞれ組み合わせられる、平面視略Ｌ字状に成型された、左右二つの後部第三発泡体３１５とから構成される。このうち第三発泡体３００は、発泡倍率を９倍にしており、発泡倍率７倍の後部第三発泡体３１５よりも小さい硬度に設定される。また、後部第三発泡体３１５は発泡倍率６倍の第一発泡体１００よりも小さい硬度に設定されている。
第三発泡体３００の上面３０１には、第一孔面積よりも小さい（狭い）第三穴面積からなる第三窪み穴３０２が第三発泡体３００の平面形状内に規則的に複数配設されている。ここで、第三窪み穴３０２の穴形状は円形である。さらに、第二発泡体２００が第一発泡体１００及び第三発泡体３００よりも大きな硬度を有している。つまり、第二発泡体２００が第一発泡体１００及び第三発泡体３００よりも硬くなっている。
【００２８】
着座者がシートクッション構造体１０に着座すると、シートクッション構造体１０の凹部１２の前部近傍に集中荷重が生じ、第一発泡体１００が所定の第一変形厚さ及び第一変形面積で弾性変形する。また、第三発泡体３００が第一変形厚さ及び第一変形面積のそれぞれよりも大きい第三変形厚さ及び第三変形面積で弾性変形する。さらに、第二発泡体２００は、第一発泡体１００及び第三発泡体３００よりも大きな硬度を有しているため、第二発泡体２００が第一変形厚さ及び第三変形厚さのいずれよりも小さい第二変形厚さ、並びに、第一変形面積よりも大きく且つ第三変形面積よりも小さい第二変形面積で弾性変形する。
【００２９】
つまり、シートクッション構造体１０は、各発泡体１００〜３００間で密度、硬さ、断面形状の全てが異なるよう構成されており、第一発泡体１００の下面１０１に所定の第一穴面積以上の穴形状からなる第一窪み穴１０２を複数配設し、第三発泡体３００の上面３０１に第一孔面積よりも小さい（狭い）第三穴面積からなる第三窪み穴３０２を複数配設している。さらに、第二発泡体２００が第一発泡体１００及び第三発泡体３００よりも硬くしている。
加えて、これらの異種造形の組み合わせにより通気性を良好なものとして、蒸れにくくなる。
【００３０】
このため、第二発泡体２００の変形量が最小となり第三発泡体３００の変形量が最大となる。つまり最も厚い第二発泡体２００が第三発泡体３００への荷重及び変形を受け止めて下方へ伝達させ、最下層に層定着された第一発泡体１００が第二発泡体２００の変形を緩和するように弾性変形することで、上層側（第三発泡体３００）から下層側（第一発泡体１００）にかけて不可に応じて変形領域が適宜変動するようにしている。
【００３１】
また、図１〜２に示すように、シートクッション構造体１０は、後部片の左右部分１４，１５同士を繋ぎ、凹部１２空間を左右に亘って固定された非伸縮性の連結体１６（連結バンド）を具備している。
【００３２】
また、図１、図２、図５、図６に示すように、第二発泡体２００の凹部左右にそれぞれ形成された後部突出体２０３は、第二発泡体２００の他の箇所よりも大きい積層厚さで形成されており、その一部が下方に突出した接地面部２０４を有している。そして、第一発泡体１００が、第二発泡体２００の接地面部２０４に対応する切欠き部１０３を有して第二発泡体２００と積層接着することで第二発泡体２００の接地面部２０４が設置し得る構造となっている。
【００３３】
また、シートクッション構造体１０が備える第二発泡体２００の後部突出体２０３は、第二発泡体２００のうち最も高い表面頂部２０５を有する。また、第二発泡体２００は、表面頂部２０５を含む側面２０２の一部を窪ませた側凹部２０６を有している（図２）。
【００３４】
以上のように、第１の実施形態に係るシートクッション構造体１０は、後部辺の中央寄りに凹部を設けた所定の平面座形状に成形された天然ゴム発泡材からなる発泡体を３層以上積層し、隣接する発泡体同士を互いに接着してなるシートクッション構造体となっている。そして、少なくとも所定の第一厚さＤ１の第一発泡体１００と、第一厚さＤ１より大きな（厚い）第二厚さＤ２の第二発泡体２００と、第一厚さＤ１より大きな（厚く）且つ第二厚さＤ２より小さな（薄い）第三厚さＤ３の第三発泡体３００と、を下層から順に積層した発泡体としている。
【００３５】
また、第一発泡体１００の下面１０１には、所定の第一穴面積以上の穴形状からなる第一窪み穴１０２が、第一発泡体１００の平面形状内に規則的に複数配設されている。また、第三発泡体３００の上面３０１には、第一孔面積よりも小さい（狭い）第三穴面積からなる第三窪み穴３０２が、第三発泡体３００の平面形状内に規則的に複数配設されている。さらに第二発泡体２００が第一発泡体１００及び第三発泡体３００よりも大きな硬度を有している。つまり、第二発泡体２００が第一発泡体１００及び第三発泡体３００よりも硬くなっている。
【００３６】
そして、シートクッション構造体１０の凹部１２付近に集中荷重をかけた際に、第一発泡体１００が所定の第一変形厚さ及び第一変形面積で弾性変形し、第三発泡体３００が第一変形厚さ及び第一変形面積のそれぞれよりも大きい第三変形厚さ及び第三変形面積で弾性変形すると共に、第二発泡体２００が、第一変形厚さ及び第三変形厚さのいずれよりも小さい第二変形厚さ、並びに、第一変形面積よりも大きく且つ第三変形面積よりも小さい第二変形面積で弾性変形することを特徴としている。
【００３７】
すなわち、各発泡体１００〜３００間で密度、硬さ、断面形状の全てが異なるよう構成し、第二発泡体２００の変形量が最小となり第一発泡体１００の変形量が最大となるようにしている。つまり最も厚い第二発泡体２００が第三発泡体３００への荷重及び変形を受け止めて下方へ伝達させ、最下層に層定着された第一発泡体１００が変形厚かつ変形領域を変化させつつ大きく弾性変形することで、上層側（第三発泡体３００）から下層側（第一発泡体１００）に行くほど変形領域が変化するようにしている。これにより、体圧分散性や長時間の着座による着座者の姿勢保持性に優れ、着座疲労を感じにくいものとなる。また、厚さ、密度の異なる天然ゴム発泡材の発泡体を一体層定着したものからなるため、繰り返し使用によっても構造材自体のヘタリが生じにくいものとなっている。
【００３８】
また、第１の実施形態に係るシートクッション構造体１０は、シートクッション構造体１０の後部辺の左右部分１４，１５同士を繋ぎ、凹部１２空間を左右に亘って固定された非伸縮性の連結体１６を具備している。非伸縮性の連結体１６（連結バンド）をシートクッション構造体１０の後部辺の左右部分１４，１５同士の間に亘らせて繋ぐことで左右部分１４，１５同士の離間変形を防ぐことができる。
【００３９】
また、第１の実施形態に係るシートクッション構造体１０は、第二発泡体２００の凹部よりも前方の幅方向中央に、幅方向に長い平面視横長形状の貫通孔２０１が形成されている。そして、貫通孔２０１によって着座位置が中央位置へ誘導され、姿勢保持性に優れるものとなると共に、弾性変形の位置をシートクッション構造体１０の中央にコントロールすることで体圧分散性を確保することができる。
【００４０】
また、第１の実施形態に係るシートクッション構造体１０の第二発泡体２００の凹部左右にそれぞれ形成された後部突出体２０３は、第二発泡体２００の他の箇所よりも大きい積層厚さで形成されると共に、その一部が下方に突出した接地面部２０４を有している。そして、第一発泡体１００が、第二発泡体２００の接地面部２０４に対応する切欠き部１０３を有して第二発泡体２００と積層接着することで第二発泡体２００の接地面部２０４が設置し得る構造となっている。すなわち、もっとも硬い第二発泡体２００がシートクッション構造体１０の後部片（１４，１５）の一部として接地することで後部片（１４，１５）形状の保持性に優れ、長時間着座する時の着座者の姿勢保持性に優れると共に、繰り返し使用によるヘタリを抑えることができる。
【００４１】
また、第１の実施形態に係るシートクッション構造体１０が備える第二発泡体２００の後部突出体２０３は、第二発泡体２００のうち最も高い表面頂部２０５を有すると共に、表面頂部２０５を含む側面２０２の一部を窪ませた側凹部２０６を有している。このため、硬度の高い後部片（１４，１５）の圧迫による着座疲労を抑制することができる。
【００４２】
以上のように、第１の実施形態に係るシートクッション構造体１０によれば、着座者の仙骨への圧迫を回避するものでありながら、凹部近傍に応力集中が生じても極端な部分変形や全体形状の変形を伴わず、また、凹部周辺の着座時の体圧分散性及び着座者の姿勢保持性を良好なものとして着座疲労を感じさせにくく、また、繰り返し使用によるクッション構造材自体のヘタリを抑え、耐久性を有するものを提供できる。
【００４３】
（第２の実施形態）
図７は、第２の実施形態に係るシートクッション構造体の上面斜視図である。図８は、第２の実施形態に係るシートクッション構造体の底面斜視図である。図９は、第２の実施形態に係るシートクッション構造体の分解図である。図７０は、第２の実施形態に係るシートクッション構造体の第二発泡体の構成図である。図１１は、第２の実施形態に係るシートクッション構造体の図７の線分Ｘ−Ｘにおける断面図である。図１２は、第２の実施形態に係るシートクッション構造体の着座時における図７の線分Ｘ−Ｘにおける断面図である。図１３は、第２の実施形態に係るシートクッション構造体の側面図である。
【００４４】
以下、図７〜図１３を参照して第２の実施形態に係るシートクッション構造体１０の構造について説明する。シートクッション構造体１０は、所定の平面座形状に成形された天然ゴム発泡材（天然ゴムを主材とする発泡材をいう。）からなる発泡体１００〜３００を下層から順に積層し、隣接する発泡体同士が互いに接着された積層体構造となっている。また、シートクッション構造体１０は、後部辺１１Ａの中央寄りに凹部１２が設けられており、該凹部１２に着座状態において着座者の坐骨が収容され、坐骨への体圧の集中を軽減させ、体圧を平坦な臀部や大腿部に分散することができるように構成されている。
【００４５】
第一発泡体１００は、所定の第一厚さＤ１を有している。また、第二発泡体２００は、第一厚さＤ１より大きな（厚い）第二厚さＤ２を有している。さらに、第三発泡体３００は、第一厚さＤ１より大きな（厚く）且つ第二厚さＤ２より小さな（薄い）第三厚さＤ３を有している。ただし、ここにいう第一厚さＤ１、第二厚さＤ２、第三厚さＤ３は、本発明の解放状態のシートクッション構造体における、第一発泡体、第二発泡体、第三発泡体それぞれの窪み穴ないし側凹部を除く、各発泡体の成形体の平均厚さをいう
【００４６】
第一発泡体１００の下面１０１には、所定の第一穴面積以上の穴形状（穴縁形状をいう）からなる第一窪み穴１０２が、第一発泡体１００の平面形状内に規則的に複数配設されている。ここで、第一窪み穴１０２は、シートクッション構造体１０の後部辺１１Ａ側の配設されている穴形状が矩形の第一窪み穴１０２Ｂと、シートクッション構造体１０の前部辺１１Ｂ側の配設されている穴形状が円形の第一窪み穴１０２Ａとで構成されており、穴形状が矩形の第一窪み穴１０２Ｂは、穴形状が円形の第一窪み穴１０２Ａよりも穴面積が広くなっている。
【００４７】
また、第三発泡体３００の上面３０１には、第一孔面積よりも小さい（狭い）第三穴面積（穴縁形状の面積をいう）からなる第三窪み穴３０２が第三発泡体３００の平面形状内に規則的に複数配設されている。ここで、第三窪み穴３０２の穴形状は円形である。さらに、第二発泡体２００が第一発泡体１００及び第三発泡体３００よりも大きな硬度を有している。つまり、第二発泡体２００が第一発泡体１００及び第三発泡体３００よりも硬くなっている。
【００４８】
着座者がシートクッション構造体１０に着座すると、シートクッション構造体１０の凹部１２付近に集中荷重をかかり、第一発泡体１００が所定の第一変形厚さ及び第一変形面積で弾性変形する。また、第三発泡体３００が第一変形厚さ及び第一変形面積のそれぞれよりも大きい第三変形厚さ及び第三変形面積で弾性変形する。さらに、第二発泡体２００は、第一発泡体１００及び第三発泡体３００よりも大きな硬度を有しているため、第二発泡体２００が第一変形厚さ及び第三変形厚さのいずれよりも小さい第二変形厚さ、並びに、第一変形面積よりも大きく且つ第三変形面積よりも小さい第二変形面積で弾性変形する。
【００４９】
つまり、シートクッション構造体１０は、各発泡体１００〜３００間で密度、硬さ、断面形状の全てが異なるよう構成されており、第一発泡体１００の下面１０１に所定の第一穴面積以上の穴形状からなる第一窪み穴１０２を複数配設し、第三発泡体３００の上面３０１に第一孔面積よりも小さい（狭い）第三穴面積からなる第三窪み穴３０２を複数配設している。さらに、第二発泡体２００が第一発泡体１００及び第三発泡体３００よりも硬くしている。
【００５０】
このため、第二発泡体２００の変形量が最小となり第一発泡体１００の変形量が最大となる。つまり最も厚い第二発泡体２００が第三発泡体３００への荷重及び変形を受け止めて下方へ伝達させ、最下層に層定着された第一発泡体１００が最大の変形厚かつ最大の変形領域で大きく弾性変形することで、上層側（第三発泡体３００）から下層側（第一発泡体１００）に行くほど変形領域が大きくなるようにしている。
【００５１】
また、図８に示すように、シートクッション構造体１０は、後部片の左右部分１４，１５同士を繋ぎ、凹部１２空間を左右に亘って固定された非伸縮性の連結体１６（連結バンド）を具備している。
【００５２】
さらに、図７０に示すように、シートクッション構造体１０には、第二発泡体２００の凹部よりも前方の幅方向中央に幅方向に長い平面視横長形状の貫通孔２０１が形成されている。この実施形態では、貫通孔２０１は、平面視で２つ円形が幅方向に連結した形状となっている。そして、この貫通孔２０１により、着座者の着座位置がシートクッション構造体１０中央位置へ誘導されるため、姿勢保持性に優れるものとなる。また、着座による弾性変形の位置をシートクッション構造体１０の中央にコントロールすることで体圧分散性を確保することができる。
【００５３】
また、図７０に示すように、第二発泡体２００の凹部左右にそれぞれ形成された後部突出体２０３は、第二発泡体２００の他の箇所よりも大きい積層厚さで形成されており、その一部が下方に突出した接地面部２０４を有している。そして、第一発泡体１００が、第二発泡体２００の接地面部２０４に対応する切欠き部１０３を有して第二発泡体２００と積層接着することで第二発泡体２００の接地面部２０４が設置し得る構造となっている。
【００５４】
また、シートクッション構造体１０が備える第二発泡体２００の後部突出体２０３は、第二発泡体２００のうち最も高い表面頂部２０５を有する。また、第二発泡体２００は、表面頂部２０５を含む側面２０２の一部を窪ませた側凹部２０６を有している。
【００５５】
以上のように、第２の実施形態に係るシートクッション構造体１０は、後部辺の中央寄りに凹部を設けた所定の平面座形状に成形された天然ゴム発泡材（天然ゴムを主材とする発泡材をいう）からなる発泡体を３層以上積層し、隣接する発泡体同士を互いに、各層と同質主材である天然ゴム系の接着剤で接着してなるシートクッション構造体となっている。そして、少なくとも所定の第一厚さＤ１の第一発泡体１００と、第一厚さＤ１より大きな（厚い）第二厚さＤ２の第二発泡体２００と、第一厚さＤ１より大きな（厚く）且つ第二厚さＤ２より小さな（薄い）第三厚さＤ３の第三発泡体３００と、を下層から順に積層した発泡体としている。
【００５６】
また、第一発泡体１００の下面１０１には、所定の第一穴面積以上の穴形状からなる第一窪み穴１０２が、第一発泡体１００の平面形状内に規則的に複数配設されている。また、第三発泡体３００の上面３０１には、第一孔面積よりも小さい（狭い）第三穴面積からなる第三窪み穴３０２が、第三発泡体３００の平面形状内に規則的に複数配設されている。さらに第二発泡体２００が第一発泡体１００及び第三発泡体３００よりも大きな硬度を有している。つまり、第二発泡体２００が第一発泡体１００及び第三発泡体３００よりも硬くなっている。
【００５７】
そして、シートクッション構造体１０の凹部１２付近に集中荷重をかけた際に、第一発泡体１００が所定の第一変形厚さ及び第一変形面積で弾性変形し、第三発泡体３００が第一変形厚さ及び第一変形面積のそれぞれよりも大きい第三変形厚さ及び第三変形面積で弾性変形すると共に、第二発泡体２００が、第一変形厚さ及び第三変形厚さのいずれよりも小さい第二変形厚さ、並びに、第一変形面積よりも大きく且つ第三変形面積よりも小さい第二変形面積で弾性変形することを特徴としている。
【００５８】
すなわち、各発泡体１００〜３００間で密度、硬さ、断面形状の全てが異なるよう構成し、第二発泡体２００の変形量が最小となり第一発泡体１００の変形量が最大となるようにしている。つまり最も厚い第二発泡体２００が第三発泡体３００への荷重及び変形を受け止めて下方へ伝達させ、最下層に層定着された第一発泡体１００が最大の変形厚かつ最大の変形領域で大きく弾性変形することで、上層側（第三発泡体３００）から下層側（第一発泡体１００）に行くほど変形領域が大きくなるようにしている。これにより、体圧分散性や長時間の着座による着座者の姿勢保持性に優れ、着座疲労を感じにくいものとなる。また、厚さ、密度の異なる天然ゴム発泡材の発泡体を一体層定着したものからなるため、繰り返し使用によっても構造材自体のヘタリが生じにくいものとなっている。
【００５９】
また、第２の実施形態に係るシートクッション構造体１０は、シートクッション構造体１０の後部辺の左右部分１４，１５同士を繋ぎ、凹部１２空間を左右に亘って固定された非伸縮性の連結体１６を具備している。非伸縮性の連結体１６（連結バンド）をシートクッション構造体１０の後部辺の左右部分１４，１５同士の間に亘らせて繋ぐことで左右部分１４，１５同士の離間変形を防ぐことができる。
【００６０】
また、第２の実施形態に係るシートクッション構造体１０は、第二発泡体２００の凹部よりも前方の幅方向中央に、幅方向に長い平面視横長形状の貫通孔２０１が形成されている。そして、貫通孔２０１によって着座位置が中央位置へ誘導され、姿勢保持性に優れるものとなると共に、弾性変形の位置をシートクッション構造体１０の中央にコントロールすることで体圧分散性を確保することができる。
【００６１】
また、第２の実施形態に係るシートクッション構造体１０の第二発泡体２００の凹部左右にそれぞれ形成された後部突出体２０３は、第二発泡体２００の他の箇所よりも大きい積層厚さで形成されると共に、その一部が下方に突出した接地面部２０４を有している。そして、第一発泡体１００が、第二発泡体２００の接地面部２０４に対応する切欠き部１０３を有して第二発泡体２００と積層接着することで第二発泡体２００の接地面部２０４が設置し得る構造となっている。すなわち、もっとも硬い第二発泡体２００がシートクッション構造体１０の後部片（１４，１５）の一部として接地することで後部片（１４，１５）形状の保持性に優れ、長時間着座する時の着座者の姿勢保持性に優れると共に、繰り返し使用によるヘタリを抑えることができる。
【００６２】
また、第２の実施形態に係るシートクッション構造体１０が備える第二発泡体２００の後部突出体２０３は、第二発泡体２００のうち最も高い表面頂部２０５を有すると共に、表面頂部２０５を含む側面２０２の一部を窪ませた側凹部２０６を有している。このため、硬度の高い後部片（１４，１５）の圧迫による着座疲労を抑制することができる。
【００６３】
以上のように、第２の実施形態に係るシートクッション構造体１０によれば、着座者の仙骨への圧迫を回避するものでありながら、凹部近傍に応力集中が生じても極端な部分変形や全体形状の変形を伴わず、また、凹部周辺の着座時の体圧分散性及び着座者の姿勢保持性を良好なものとして着座疲労を感じさせにくく、また、繰り返し使用によるクッション構造材自体のヘタリを抑え、耐久性を有するものを提供できる。
【００６４】
（第３の実施形態）
図１４は、第３の実施形態に係るシートクッション構造体の上面斜視図である。図１５は、第３の実施形態に係るシートクッション構造体の分解図である。図１６は、第３の実施形態に係るシートクッション構造体の第二発泡体の構成図である。図１６（ａ）は、第二発泡体２００の平面図である。図１７（ｂ）は、第二発泡体２００の図１６（ａ）の線分Ｙ−Ｙにおける断面図である。
【００６５】
第１の実施形態では、シートクッション構造体１０の第二発泡体２００に貫通孔２０１が形成されていた。一方、この第３の実施形態では、シートクッション構造体２０の第二発泡体２００に貫通孔ではなく、平面視で２つの矩形２０１Ａ，２０１Ｂが、矩形２０１Ａ，２０１Ｂよりも小さな矩形２０１Ｃを介して連結した形状の窪み穴が形成されている。
【００６６】
なお、この第３の実施形態に係るシートクッション構造体２０の効果は、第１の実施形態に係るシートクッション構造体１０と同様である。
【００６７】
（第４の実施形態）
図１７は、第４の実施形態に係るシートクッション構造体の第二発泡体の構成図である。図１７（ａ）は、第二発泡体２００の平面図である。図１７（ｂ）は、第二発泡体２００の図１７（ａ）の線分Ｙ−Ｙにおける断面図である。以下、図１７を参照して第４の実施形態に係るシートクッション構造体１０の構成について説明する。なお、図１〜図１３を参照して説明した構成と同一の構成には、同一の符号を付して重複する説明を省略する。
【００６８】
第１の実施形態では、シートクッション構造体１０の後部辺１１Ａの中央寄りに設けられた凹部１２の形状が平面視で矩形状となっていた。一方、この第４の実施形態のシートクッション構造体１０では、図１７に示すように、シートクッション構造体２０のシートクッション構造体１０の後部辺１１Ａの中央寄りに設けられた凹部１２の形状が平面視で半楕円形状となっている。
【００６９】
図１７に示すように、シートクッション構造体１０のシートクッション構造体１０の後部辺１１Ａの中央寄りに設けられた凹部１２の形状が平面視で半楕円形状とすることで、凹部近傍に応力集中が生じても極端な部分変形や全体形状の変形を伴わず、また、凹部周辺の着座時の体圧分散性及び着座者の姿勢保持性をより良好なものとすることができる。その他の効果は、第１の実施形態に係るシートクッション構造体１０と同じである。
【００７０】
（弾力特性）
実施形態１のシートクッション構造体について、図１８、図１９に示す剛球沈下法による弾力特性の確認試験を行った。
弾力特性は図１８に示すように、ａ（左前部の湾曲窪み上），ｂ（中央の貫通孔上），ｃ（中央後部の横桟部上），ｄ（後方突出部上）の４点に、小剛球、大剛球のそれぞれを載置して沈下量を測定した。
測定結果は以下のとおり。
【表１】
2018000625.tif 000003
【００７１】
比較例として、同一材質の３層構造のウレタンフォーム（図３と同じ外形状、但し貫通穴、湾曲窪みや第一〜第三窪み穴を有さず、発泡倍率は中間の第２層が小さく半硬質でその上下の第一及び第三が大きく軟質なもの）を使用した。比較例の測定結果は以下のとおり。
【表２】
2018000625.tif 000004
【００７２】
各剛球の沈下量に応じた平均負荷圧力は、図２０に示される。図２０において、平均負荷圧力は、剛球沈下分の容積を円板の平面投影面積で除した「平面負荷圧力」、及び、剛球沈下分の容積を球冠面積で除した「球冠負荷圧力」の２種類の値として示している。表１、表２の測定結果を図２０の負荷圧力に換算すると、以下のようになる。
【表３】
2018000625.tif 000005
【００７３】
比較例の負荷圧力換算値は以下のとおり。
【表４】
2018000625.tif 000006
【００７４】
小剛球沈下による負荷圧力は恥骨や大腿骨といった突出部分への局所的な負荷反力を模しており、大剛球沈下による負荷圧力は測定箇所全体における臀部への平均負荷反力を模している。本発明の実施形態（表３）ではいずれも比較例（表４）の１．８〜２．０倍以上の弾力特性を有しており、特に、局所的な負荷圧力が比較例と比べて大きく減少していることがわかる。これは本実施形態が、長時間着座したときの局所的な負荷を抑え得る構造であることを示している。
また、医学的知見によれば、水銀圧３２ｍｍＨｇ（水柱４３５ｍｍ、４３ｇ／ｃｍ２）を超える負荷圧力が人体にかかると、毛細血管の血流圧迫が起こり得るといわれている。この点から上記表３，４の値を評価すると、比較例では水銀圧３２ｍｍＨｇ（水柱４３５ｍｍ、４３ｇ／ｃｍ２）を超える負荷圧力が生じているのに対し、本発明の実施形態では、水銀圧３２ｍｍＨｇ（水柱４３５ｍｍ、４３ｇ／ｃｍ２）を大きく下回る負荷圧力となっており、毛細血管の血流圧迫が起こりにくいことが確認された。  
【００７５】
（その他の実施形態）
その他本発明は上述した実施例に限定されず、本発明の趣旨を逸脱しない範囲で適宜変更、要素抽出、構成の省略、形状・位置変更、或いは別構成の負荷が可能である。
【符号の説明】
【００７６】
１０  シートクッション構造体
１１  後部辺
１２  凹部
１３  後部辺中央
１４  後部辺左部
１５  後部辺右部
１６  連結体
２０  シートクッション構造体
１００  第一発泡体
１０１  下面
１０２  第一窪み穴
１０３  切欠き部
２００  第二発泡体
２０１  貫通孔
２０２  側面
２０３  後部突出体
２０４  接地面部
２０５  表面頂部
２０６  側凹部
３００  第三発泡体
３０１  上面
３０２  第三窪み穴
Ｄ１  第一厚さ
Ｄ２  第二厚さ
Ｄ３  第三厚さ
【図１】
2018000625.tif 000007
【図２】
2018000625.tif 000008
【図３】
2018000625.tif 000009
【図４】
2018000625.tif 000010
【図５】
2018000625.tif 000011
【図６】
2018000625.tif 000012
【図７】
2018000625.tif 000013
【図８】
2018000625.tif 000014
【図９】
2018000625.tif 000015
【図１０】
2018000625.tif 000016
【図１１】
2018000625.tif 000017
【図１２】
2018000625.tif 000018
【図１３】
2018000625.tif 000019
【図１４】
2018000625.tif 000020
【図１５】
2018000625.tif 000021
【図１６】
2018000625.tif 000022
【図１７】
2018000625.tif 000023
【図１８】
2018000625.tif 000024
【図１９】
2018000625.tif 000025
【図２０】
2018000625.tif 000026